(57)【要約】      （修正有）【課題】枕の詰め物に、鎮静作用、抗菌作用、調湿性、通気性、および適度なクッション性を付与するとともに、快適な使用感が得られる枕を提供する。【解決手段】枕の袋には噴き出し防止加工をほどこし、裏地には木炭繊維を使用し、そして枕本体の中央部をくぼませるため、内部に平行に布を縫いつけ、乾燥檜の綿状おが屑材と合成樹脂チューブ短カット材との混合物を、高密度に充填すると、外周部は高く、中央部はくぼんだ状態の枕となる。【選択図】図１
0003137890.tif 000002
【実用新案登録請求の範囲】
【請求項１】
枕本体の中央に頭部受入れ用の凹みが出来るように袋内部の中央に位置させて、上下方向の仕切布を２枚一定間隔を置いて対向配置させた状態で縫い付けて上下が近接した狭小な中央室を形成し、これにより該中央室の周辺に広大な外周室を形成する形態となし、該中央室と外周室に、乾燥木材製のおが屑材（Ａ）と、合成樹脂製チューブの短カット材（Ｂ）とを混合させた混合物からなるクッション材を充填させて、該乾燥木材製のおが屑材（Ａ）が合成樹脂製チューブの短カット材（Ｂ）を抱持若しくは短カット材（Ｂ）内側に入り込み可能に構成し、枕本体を、外側の周壁部は高く隆起形成し、中央部は低く陥没形成させたことを特徴とするおが屑入りの枕。
【請求項２】
枕の詰め物となる乾燥木材製のおが屑材（Ａ）を檜の綿状おが屑材（Ａ）とし、その大きさは長さ５ミリ〜１５ミリ程度の縮れ毛状で絡みあい可能なものとし、合成樹脂チューブの短カット材（Ｂ）は軟質製のもので、その大きさは長さ１センチ、外径８ミリ、内径７ミリの寸法程度であることを特徴とする請求項１に記載のおが屑入り枕。
【請求項３】
枕の詰め物中、乾燥木材製のおが屑材（Ａ）と、合成樹脂チューブの短カット材（Ｂ）との混合割合が、重量比でおが屑材（Ａ）：短カット材（Ｂ）＝３０〜３５：７０〜６５であることを特徴とする請求項１および請求項２に記載のおが屑入り枕。
【請求項４】
詰め込んだ合成樹脂チューブの短カット（Ｂ）のチューブ内側にも乾燥檜の綿状おが屑材（Ａ）が入り込み可能とし、絡み付くことにより、混合した２種類の混合物は連結され、適度なクッション性と枕内部の混合物が一方に偏らない効果を発揮することを特徴とする請求項３に記載のおが屑入り枕。
【請求項５】
詰め物をする枕の袋には、綿繊維１００％の生地にコーティングなどの噴き出し防止加工をほどこし、さらにその袋の裏地に木炭繊維を重ね縫いし使用することを特徴とする請求項３および請求項４に記載のおが屑入り枕。
【考案の詳細な説明】
【技術分野】
【０００１】
本考案は、杉、桧、若しくはこれらの木材に類する乾燥木材製のおが屑が有する調湿作用や香木の爽やか香りによって得られる鎮静作用、および木炭の遠赤外線効果によって快適な睡眠が得られる枕に関するものである。
【背景技術】
【０００２】
従来から寝具用枕の多くは、布袋内にそば殻や籾殻が充填されたものから、竹片を詰めて脱臭性や吸水性効果をねらったものまで様々な枕が出ている。これらの中には、例えば特許文献１に示されるように特殊な遠赤外線が出るセラミックス粉末を充填した合成樹脂チューブのものが提案されている。しかしながらこの特許文献１のものは特殊セラミックス粉末を用いるのでコスト高になることや、枕内において合成樹脂チューブの片寄りが出て頭の受け作用や肩受け作用などが均等に出来ないなどの欠点があった。
【特許文献１】特開平９−３０８５６０号公報
【考案の開示】
【考案が解決しようとする課題】
【０００３】
これらの課題を解決するために、本考案の枕の機能としては頭部が高く、頸部から肩に至る部分を支えてくれて、しかも異物感のない状態にするために、枕の中央部のくぼみと外周部の高い部分に分けて詰め物を充填することが好ましい。更に詰め物が妄りに移動しないようにして、頭に均等に当たることも必要でこれらの点に課題がある。
【０００４】
本考案の枕の詰め物となる檜材は、極小木片とかおが屑材（粉状）では、適度なクッション性に欠け使用したとき寝付きが悪いなど、改善を求められていた。乾燥檜の綿状おが屑材（Ａ）を使用することにより、適度なクッション性、互いに絡み付き他の混合物の合成樹脂チューブの短カット材（Ｂ）とも絡み付きがよいので、詰め物のみだりな移動がなくて頭の当りを均等に出来る。
【０００５】
詰め物となる乾燥檜の綿状おが屑材（Ａ）の長さは５ミリ〜１５ミリが好ましく、合成樹脂チューブの短カット材（Ｂ）の大きさは外径８ミリ、内径７ミリ、長さ１センチの物が好ましい。
また合成樹脂チューブの短カット材（Ｂ）の材質はポリエチレン、ポリエステル、ポリプロピレン等の柔軟な弾力をもつチューブを形成することが出来る汎用合成樹脂を適用すると良い。
【０００６】
上記２種類の詰め物の混合比は特に限定を要する物ではないが、枕としてのクッション性、脱臭性機能の調和を考慮すると、重量比にして、乾燥檜の綿状おが屑材（Ａ）：合成樹脂チューブの短カット材（Ｂ）３０〜３５：７０〜６５が好ましい。
【０００７】
本考案の枕の袋は機密性と通気性を兼ね備えた織物に噴き出し防止加工を施して使用することが好ましい。
【課題を解決するための手段】
【０００８】
本考案は前述の課題解決のために、第一に、枕本体の中央に頭部受入れ用の凹みが出来るように袋内部の中央に位置させて、上下方向の仕切布を２枚一定間隔を置いて対向配置させた状態で縫い付けて上下が近接した狭小な中央室を形成し、これにより該中央室の周辺に広大な外周室を形成する形態となし、該中央室と外周室に、乾燥木材製のおが屑材（Ａ）と、合成樹脂製チューブの短カット材（Ｂ）とを混合させた混合物からなるクッション材を充填させて、該乾燥木材製のおが屑材（Ａ）が合成樹脂製チューブの短カット材（Ｂ）を抱持若しくは短カット材（Ｂ）内側に入り込み可能に構成し、枕本体を、外側の周壁部は高く隆起形成し、中央部は低く陥没形成させたことを特徴とするもので、枕の中央部分２にくぼみが出来るように、また枕の内部の中央部分２が一定の高さになるように、図３、図４に示しているように中央部分に平行に仕切布５で表と裏をつなげた形態となすものである。
【０００９】
第二に、枕の詰め物となる乾燥木材製のおが屑材（Ａ）を檜の綿状おが屑材（Ａ）とし、その大きさは長さ５ミリ〜１５ミリ程度の縮れ毛状で絡みあい可能なものとし、合成樹脂チューブの短カット材（Ｂ）は軟質製のもので、その大きさは長さ１センチ、外径８ミリ、内径７ミリの寸法程度であることを特徴とするものであり、第三に、枕の詰め物中、乾燥木材製のおが屑材（Ａ）と、合成樹脂チューブの短カット材（Ｂ）との混合割合が、重量比でおが屑材（Ａ）：短カット材（Ｂ）＝３０〜３５：７０〜６５であることを特徴とするものであり、これらの構成により、図３、図４のように、詰め物は長さ５ミリ〜１５ミリの乾燥檜の綿状おが屑材（Ａ）と外径8ミリ、内径7ミリで長さ1センチの合成樹脂チューブの短カット材（Ｂ）を重量比にして３０：７０の割合で混合したものを準備した。それらを枕の高い部分外周室１と、中央部分２に充填する。充填は高密度であるが、詰め物の材質から弾力性は十分確保されている。
【００１０】
第四に、詰め込んだ合成樹脂チューブの短カット（Ｂ）のチューブ内側にも乾燥檜の綿状おが屑材（Ａ）が入り込み可能とし、絡み付くことにより、混合した２種類の混合物は連結され、適度なクッション性と枕内部の混合物が一方に偏らない効果を発揮することを特徴とするもので、これにより図２のように、合成樹脂チューブの短カット材（Ｂ）の中に乾燥檜の綿状おが屑材（Ａ）は縮れ毛状のため入り込み絡み付いたりの状態にもなり、混合物が一体となりクッション性の向上は勿論のこと、通気性の向上や湿気防止を図りつつ、詰め物が一方に偏らないでより安定した状態で使用できることになる。そして優しい肌触りと檜の効果も得られる。
【００１１】
第五に、詰め物をする枕の袋には、綿繊維１００％の生地にコーティングなどの噴き出し防止加工をほどこし、さらにその袋の裏地に木炭繊維を重ね縫いし使用することを特徴とするもので、図５のように、詰め物をする枕の袋は機密性と通気性を兼ね備えた織物６に噴き出し防止加工をほどこして使用している。詰込み物の乾燥檜の綿状おが屑材（Ａ）が外部に噴き出さないようにしている。しかし、檜の香りは通す機能を有するものである。
また、袋の裏地に使用している木炭繊維７は遠赤外線効果を有しておるもので、これにより冬は温かく保たれ、夏はサラッと爽やかに感じられ、さらにマイナスイオン効果で疲労解消、快適な睡眠が得られる利点がある。これらのほかに抗菌・吸湿性によりダニやカビの発生を抑制するなどという優れた効果を発揮する。
【００１２】
使用している乾燥檜の綿状おが屑材（Ａ）の爽やかな香りには、豊かなミネラルと鎮静作用が含まれている。本発明に係る枕利用者の自律神経を安定させ、ストレスを緩和する作用があり、安眠効果がある。
また、檜には抗菌作用があり、雑菌の繁殖を抑制する働きがある。さらに吸臭作用もあり汗などのイヤな匂いも抑え衛生的である。そして調湿性に優れ、過剰な熱や湿気を抑える。
【考案の効果】
【００１３】
枕としての機能は通気性、弾力性が必要条件であると言われている面がある。今回申請する本考案に係る枕は袋内部に充填する乾燥木材として、檜の綿状おが屑材（Ａ）を使用した場合には、檜の綿状おが屑材（Ａ）は通気性、弾力性の確保は勿論のこと、檜の香りによるリラックス効果、鎮静、抗菌作用、調湿性など優れた効果が期待できる。それに弾力性、通気性をより高めるために合成樹脂チューブの短カット材（Ｂ）とを混合して合わせて充填した。また、枕の袋の裏地に木炭繊維７を重ね縫いし、木炭繊維７から得られる遠赤外線効能も効果に合わせることができ、本考案に係る檜枕を使用することで得られる効果は大きいものである。
【考案を実施するための最良の形態】
【００１４】
本考案の枕は、図１、図３〜４に示しているように、布地製からなる枕本体Ｍの中央２に頭部受入れ用の凹み２Ａが出来るように袋内部の中央に位置させて、上下方向の仕切布５，５を２枚一定間隔を置いて対向配置させた状態で枕本体Ｍに縫い付けて上下が近接した狭小な中央室２Ｂを形成し、これにより該中央室２Ｂの周辺に広大な外周室１を形成する形態となし、該中央室２Ｂと外周室１に、乾燥木材製のおが屑材（Ａ）と、合成樹脂製チューブの短カット材（Ｂ）とを混合させた混合物からなるクッション材を充填させて、該乾燥木材製のおが屑材（Ａ）が合成樹脂製チューブの短カット材（Ｂ）を抱持若しくは短カット材（Ｂ）内側に入り込み可能に構成し、枕本体Ｍを、外周室１部分に相当する外側の周壁部は高く隆起形成し、中央部２は低く陥没形成させた凹み２Ａを有する。
これを更に詳述すると、枕本体Ｍの布地は通気性を有する織物６を裁断して表地とし、裏地には遠赤外線効果が得られる木炭繊維７を使用している。そして、枕の中央部分２に頭部受入れ用のくぼみ２Ｂが出来るように、袋内部の中央の位置に上下仕切布５，５の２枚を一定間隔を置いて対向状に縫い付けて、枕の上下が接近した形態の狭小な中央室２Ｂを形成し、これにより該中央室２Ｂの周辺の四周に連続した広大な外周室１を形成する態様となし、該中央室２Ｂと外周室１に、乾燥木材製のおが屑材（Ａ）、合成樹脂チューブの短カット材（Ｂ）とを混合させた混合物からなるクッション材を詰め物４として高密度に充填させて、枕の外周部は高く、中央部分はくぼんだ状態となる形態にされるものである。
【００１５】
枕の詰め物４としては、木材を製材加工する時に発生するおが屑（Ａ）を利用し、乾燥した檜、杉、あすなろ、シバ、ヒバなどを利用することができる。おが屑（Ａ）は、サラサラした流動性の良い粉末状のものや、とろろこんぶ状若しくは花かつお状形態に類する短い繊維が絡み付きあってクッション性と通気性に優れた綿状のものがあり、これらを択一的に選択使用する、あるいは粉末状のものと綿状のものを適宜に混合して使用することもできる。例えば、乾燥檜の綿状のおが屑材（Ａ）と、合成樹脂チューブの短カット材（Ｂ）の混合物を重量比３０〜３５：７０〜６５の割合で枕の内部に充填することで、適度なクッション性が得られ、そしておが屑材（Ａ）と、合成樹脂チューブの短カット材（Ｂ）の混合物は互いに絡み合い、連結することで一方に片寄らず安定させることができ、そしておが屑材（Ａ）と、合成樹脂チューブの短カット材（Ｂ）の混合物はいずれも十分な空間を有し通気性に優れている。                    
【００１６】
枕本体Ｍの袋の裏地に木炭繊維７を重ね縫いし、木炭繊維７から得られる遠赤外線効果や調湿効果と、乾燥檜の綿状おが屑（Ａ）の調湿機能と合わせることで、より調湿機能が発揮でき、肌触りが良く、快適な睡眠が得られる枕を現出させることができる。
【実施例】
【００１７】
図１〜図７に、本考案の実施例を示す。
枕本体Ｍの袋は、通気性を有する織物６にコーティングなど噴き出し防止加工を施し、裏地に木炭繊維７を合わせ裁断して、図１に示しているように矢印Ｙ方向から見る上下面の幅寸（長手寸法）は各６３センチ、矢印Ｘ方向から見る両側面の幅寸（短手寸法）は各４３センチ、の枕外装体を縫製した。そして枕の中央部２にくぼみ２Ｂが出来るように内部中央に高さ４センチ、長さ１２センチ、の仕切布５の２枚を幅８センチの間隙で平行状に対向させて袋の上下に縫い付けた。
【００１８】
一方、詰め物４として、図２に示しているように、それぞれの繊維長さが５ミリ〜１５ミリでお互いに絡み合って膨軟な綿形態の乾燥檜の綿状おが屑材（Ａ）と、外径８ミリ、内径７ミリの軟性のポリエチレン樹脂チューブを長さ１センチに切断した短カット材（Ｂ）を準備し、重量比にして３０：７０の割合で混合した物を準備した。
【００１９】
そして図１の袋部に上記詰め物４を隙間なくぎっしりと万遍なく詰め込んで高密度に充填して充填開口部を閉じ、図３，図４のように中央部がくぼみ、その外周部は高くした枕となした
【００２０】
本考案の枕を１０個準備し、年齢が５０歳〜６０歳の女性モニターに１４日間試用させたところ、全員が今まで使用していた枕より香りでリラックス出来、熟睡度が高く、爽やかな気分で、しかも枕により頭や肩の受け、座りが良くて、寝起き時には首から肩にかけ軽くなった感じがしたと答えた。
【産業上の利用可能性】
【００２１】
本枕の混合物は檜の綿状おが屑材（Ａ）と合成樹脂チューブの短カット材（Ｂ）を利用した枕であるが、杉、あすなろ、シバ、ヒバなどの檜以外の材料でも材料から得られる爽やかな香りを伴う香木物であれば可能であり、合成樹脂チューブの短カット材（Ｂ）の代わりにクッション性のある材料、例えばポリエステル綿などを混合させても枕の機能は十分得られる。
【図面の簡単な説明】
【００２２】
【図１】本考案に係る枕の一部分を破断して示す平面図である。
【図２】詰め物の概要を示す説明図である。
【図３】枕を図１のＹ方向から見た正断面図である。
【図４】枕を図１のＸ方向から見た側断面図である。
【図５】枕の袋の要部を拡大して示す断面図である。
【図６】枕を床に置いた状態を示す外形説明図である。
【図７】枕を使用した状態を示す作用平面図である。
【符号の説明】
【００２３】
１  外周室
２  中央室
３  ミシン目ライン
４  詰め物
５  仕切布
６  枕の袋の繊維
７  枕の裏地に縫い合わせた木炭繊維
Ａ  乾燥檜の綿状おが屑材
Ｂ  合成樹脂チューブ短カット材
Ｘ  枕の側面
Ｙ  枕の側面
【図１】
0003137890.tif 000003
【図２】
0003137890.tif 000004
【図３】
0003137890.tif 000005
【図４】
0003137890.tif 000006
【図５】
0003137890.tif 000007
【図６】
0003137890.tif 000008
【図７】
0003137890.tif 000009